(57)【要約】【課題】  稼動時に発生する騒音を削減するとともに、埃の飛散を防止し、しかも、使用性を向上できるようにする。【解決手段】  紙幣Ｐを取り込む取込部２と、この取込部２によって取り込まれた紙幣Ｐを搬送する搬送手段と、この搬送手段によって搬送される紙幣Ｐを識別する識別手段と、この識別手段の識別結果に基づいて前記紙幣を区分集積する複数の排出部３ａ、３ｂと、前記複数の排出部３ａ、３ｂを覆うカバー５１とを具備し、前記カバー５１は前記排出部３ａ、３ｂを開閉する複数の開閉部５４ａ〜５４ｃを有し、前記複数の開閉部５４ａ〜５４ｃの一つを必要に応じて開放可能することを特徴とする。【選択図】      図１
2006120007.tif 000002
【特許請求の範囲】
【請求項１】
紙葉類を取り込む取込部と、
この取込部によって取り込まれた紙葉類を搬送する搬送手段と、
この搬送手段によって搬送される紙葉類を識別する識別手段と、
この識別手段の識別結果に基づいて前記紙葉類を区分集積する複数の集積部と、
前記複数の集積部を覆うカバーとを具備し、
前記カバーは前記集積部を開閉する複数の開閉部を有し、前記複数の開閉部の一つを必要に応じて開放可能とすることを特徴とする紙葉類処理装置。
【請求項２】
前記カバーの開閉部は各集積部毎にその集積紙葉類の一側面部に沿う状態で複数配設され、その中間に配置される中間開閉部が必要に応じて開放可能とされることを特徴とする請求項１記載の紙葉類処理装置。
【請求項３】
前記中間開閉部は前記カバーに被取付部を介して着脱自在に取り付けられることを特徴とする請求項２記載の紙葉類処理装置。
【請求項４】
前記カバーには取付用の切欠部が形成され、前記中間開閉部の被取付部にはスリットが形成され、前記中間開閉部は被取付部を前記カバーの取付用の切欠部に嵌め込んで回動自在に取り付けられることを特徴とする請求項３記載の紙葉類処理装置。
【請求項５】
前記紙葉類は複数金種の紙幣であることを特徴とする請求項１乃至４のいずれか一項に記載の紙葉類処理装置。
【発明の詳細な説明】
【技術分野】
【０００１】
本発明は、例えば、紙幣をその金種などに応じて区分集積し、或いは、紙幣を所定枚数ずつ結束する紙葉類処理装置に関する。
【背景技術】
【０００２】
この種の紙葉類処理装置には、取込部に紙幣を複数枚積層状態で投入させてセットし、このセットされた紙幣を一枚ずつ取込んで搬送し、その金種、真偽、表裏の向きなどを鑑査部で判別し、この判別結果に基づいて紙幣を複数の集積部に区分集積し、或いは、鑑査した紙幣を結束部に搬送して所定枚数ずつ結束材で結束処理するものがある（例えば、特許文献１参照。）。
【特許文献１】特開平８−２３５４０６号公報
【発明の開示】
【発明が解決しようとする課題】
【０００３】
しかしながら、従来においては、紙幣を区部集積する集積部を全面的に開放したままの状態で稼動していたため、稼動時において発生する騒音が外部にそのまま放出され、また、集積紙幣からの埃が装置の周辺に飛散してしまうという問題があった。
【０００４】
本発明は上記事情に着目してなされたもので、その目的とするところは、稼動時に発生する騒音を低減でき、また、埃の飛散を防止できるようにした紙葉類処理装置を提供することにある。
【課題を解決するための手段】
【０００５】
上記課題を解決するため、請求項１記載の発明は、紙葉類を取り込む取込部と、この取込部によって取り込まれた紙葉類を搬送する搬送手段と、この搬送手段によって搬送される紙葉類を識別する識別手段と、この識別手段の識別結果に基づいて前記紙葉類を区分集積する複数の集積部と、前記複数の集積部を覆うカバーとを具備し、前記カバーは前記集積部を開閉する複数の開閉部を有し、前記複数の開閉部の一つを必要に応じて開放することを特徴とする。
【発明の効果】
【０００６】
本発明によれば、稼動時に発生する騒音を低減するとともに、集積紙葉類からの埃の飛散を防止でき、しかも、使用性を向上する。
【発明を実施するための最良の形態】
【０００７】
以下、本発明を図面に示す実施の形態を参照して詳細に説明する。  
図１は本発明の一実施の形態である紙葉類処理装置としての紙幣整理機の外観を示すものである。
【０００８】
図１中１は装置本体で、この装置本体１の利用者が対面するフロント側の一側部側には各金種混合状態で投入される紙葉類としての紙幣Ｐを取り込む取込部２が設けられている。この取込部２に投入された紙幣Ｐはその下部側のものから後述する取込ローラにより取込まれるようになっている。装置本体１の上面部には、後述する紙幣の集積部を全面的に覆うカバー５１が設けられている。このカバー５１の後方には操作部４及び表示部５が設けられている。操作部４は、例えば、計数分類処理モード、或いは、結束処理モードを選択的に設定するものである。また、装置本体１の前面部には、開閉扉１ａが設けられ、開閉扉１ａを開くことにより、装置本体１内部を開放できるようになっている。
【０００９】
図２は、紙幣整理機の内部構成を概略的に示すものである。
【００１０】
装置本体１の上部側にはフロント側に位置して横方向に並列に第１及び第２の集積部としての排出部３ａ，３ｂが配設されている。これら第１及び第２の排出部３ａ，３ｂには、金種別に紙幣が区分排出されて集積される。第１の排出部３ａには、例えば、千円紙幣、第２の排出部３ｂには一万円紙幣が排出される。これら第１および第２の排出部３ａ，３ｂが上記したカバー５１によって覆われる。
【００１１】
なお、第２の排出部３ｂの近傍には第３の排出部３ｃが設けられ、この第３の排出部３ｃにはリジェクト紙幣が排出される。
【００１２】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する識別手段としての識別部１２が設けられている。
【００１３】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが排出ローラ対２０ａ〜２０ｃを介して第１乃至第３の排出部３ａ〜３ｃへ選択的に排出される。
【００１４】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１５】
集積部２６の下方部には、集積紙幣を施封部３０へ搬送する搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１６】
施封部３０は、搬送ベルト４４によって搬送されてくる集積紙幣を上下からクランプして受取るクランプ部材（図示しない）と、このクランプ部材間に挾持される紙幣Ｐに結束テープ３６を巻付けるテープ巻付け機構３３と、結束テープ３６を所定の長さに切断するカッタ３４と、結束テープ３６の重合端部を熱接着するヒータ３５等を備えている。テープ巻付け機構３３は一対の巻付けアーム４６を回動自在に備えている。
【００１７】
結束テープ３６は供給リール３７から供給ルート３８に沿って供給され、供給ルート３８の中途部には結束テープ３６に銀行の支店名、処理の日付け、通番等を印字する印字部４０が設けられている。印字部４０は印字ヘッド４１とこの印字ヘッド４１に対向するプラテンローラ４２を備えている。
【００１８】
次に、上記した紙幣整理機の処理動作について説明する。
【００１９】
まず、装置本体１の取込部２に混合金種の紙幣Ｐを積層状態で投入載置し、操作部４によって、計数分類処理モード或いは、結束処理モードを設定する。
【００２０】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２１】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により、第１の排出ローラ対２０ａに送られ、この第１の排出ローラ対２０ａの回転により、第１の排出部３ａに排出される。識別された紙幣が例えば万円券である場合には、第２の振分ゲート１８の動作により、第２の排出ローラ対２０ｂに送られ、この第２の排出ローラ対２０ｂの回転により、第２の排出部３ｂに排出される。識別された紙幣が例えば２枚重なり紙幣、連鎖紙幣、偽紙幣等の識別不能紙幣、分類金種紙幣以外の金種紙幣である場合には、第３の排出ローラ対２０ｃに送られ、この第３の排出ローラ対２０ｃの回転により、第３の排出部３ｃに排出される。
【００２２】
一方、操作部４によって、結束処理モードが設定されていた場合には、予め結束する紙幣の金種を指定しておくと、指定金種の紙幣は切替ゲート１３を介して第３の搬送経路１５へ送られて表裏反転機構２２に搬送される。この表裏反転機構２２に送られた紙幣は一方の面に揃えられたのち第４の搬送経路２４を介して集積部２６に送り込まれる。
【００２３】
このとき、指定された金種以外の紙幣は計数分類処理モード時と同様に第１乃至第３の排出部３ａ〜３ｃに排出される。
【００２４】
集積部２６に所定枚数（例えば１００枚）の紙幣が集積されると、集積部２６から搬送ベルト４４上に移載される。この移載された集積紙幣は搬送ベルト４４の走行により施封部３０に搬送され図示しない挾持片により挾持される。また、このとき、供給リール３７から結束テープ３６が供給され、この結束テープ３６の表面には印字部４０により銀行の支店名、処理の日付け、通番等が印字される。この結束テープ３６は所定長さ送り出されると、カッタ３４により切断されたのち、一対の巻付アーム４６の回動により、集積紙幣の囲りに巻付けられる。この巻付け後、結束テープ３６の両端重合部にヒータ３５が押し付けられて加熱される。これにより結束テープ３６が接着されて結束され、この結束された紙幣把は収納部に放出されて収納されることになる。
【００２５】
次に、上記した排出部３ａ、３ｂを覆うカバー５１について詳述する。
【００２６】
図３はカーバ５１を全体的に示す斜視図である。
【００２７】
カバー５１は合成樹脂材料例えば、プラスチック材によって成型されている。このカバー５１は第１の排出部３ａを覆う第１のカバー部５２と第２の排出部３ｂを覆う第２のカバー部５３を有し、開閉自在になっている。第１のカバー部５２と第２のカバー部５３は同様に構成されるため、以下、第１のカバー部５２を代表して説明する。
【００２８】
図２で示したように第１の排出部３ａに排出される紙幣はその排出方向先端部側を上にして傾斜する状態で集積される。第１のカバー部５２は、第１の排出部３ａに排出されて集積される紙幣の上面部、両側面部、及び排出方向先端部をそれぞれ覆う。
【００２９】
第１のカバー部５２の紙幣排出方向先端部を覆う部分５４には、複数の開閉部、即ち、両端開閉部５４ａ、５４ｃと、これら両端開閉部５４ａ、５４ｃ間に位置して中間開閉部５４ｂが集積紙幣の一側面部に沿う状態で配設されている。両端開閉部５４ａ、５４ｃ及び中間開閉部５４ｂは開閉自在に設けられ、中間開閉部５４ｂは着脱可能になっている。
【００３０】
図４は中間開閉部５４ｂの取付構造を分解して示す斜視図である。
【００３１】
第１のカバー部５２には取付用の切欠部５５が形成され、その離間対向する切欠面５５ａには突起部５５ｂ（１個のみ図示する）がそれぞれ突設されている。中間開閉部５４ｂの上部側には被取付部５６が形成され、この被取付部５６の両側面部には突起部５５ｂを挿入させる挿入穴５６ａ（１個のみ図示する）が穿設されている。
【００３２】
中間開閉部５４ｂの被取付部５６の略中央部にはスリット５６ｂが形成され、中間開閉部５４ｂの前面部には取手部５７が突設されている。
【００３３】
次に、中間開閉部５４ｂの着脱方法について説明する。
【００３４】
まず、中間開閉部５４ｂを取り付ける場合には、中間開閉部５４ｂの被取付部５６をスリット５６ｂが狭まる方向に弾性変形させたのち第１のカバー部５２の取付用切欠部５５内に嵌め込んで、その挿入穴５６ａを突起部５５ｂに対向させる。この状態から被取付部５６をスリット５６ｂが広がる方向に復帰させて突起部５５ｂを挿入穴５６ａ内に挿入させる。これにより、中間開閉部５４ｂはカバー部５２に回動自在に取り付けられる。
【００３５】
また、中間開閉部５４ｂを取り外す場合には、中間開閉部５４ｂの被取付部５６をスリット５６ｂが狭まる方向に弾性変形させて突起部５５ｂを挿入穴５６ａから離脱させる。この離脱後、中間開閉部５４ｂの被取付部５６を取付用の切欠部５５から抜き出して中間開閉部５４ｂを取り外す。
【００３６】
上記したように構成されるカバー５２は、紙幣処理装置の稼動時の騒音を低減させ、また、集積紙幣から埃を周囲部に飛散させたくないときには、カバー５２の中間開閉部５４ｂを開放することなく、閉じたままにして第１の排出部３ａの全面を覆う。
【００３７】
また、集積した紙幣を取り出したい場合には、カバー５２の中間開閉部５４ｂを取手部５７により上方に回動して開放させた状態にして稼動する。第１の排出部３ａに集積された集積紙幣は中間開閉部５４ｂが開放された部分から手を挿入することにより掴み取ることができ、掴み取った集積紙幣を手前に引き出すことにより取り出すことができる。このとき、両端開閉部５４ａ，５４ｃは集積紙幣により内側から押されて開放し、集積紙幣の取り出しを妨げることはない。
【００３８】
なお、カバー５２の中間開閉部５４ｂは例えば、銀行であれば、一般客がいる営業時間
帯に開放又は取外し、集積した紙幣を支払等の業務に即座に対応することができ、                                      営業時間終了後に閉塞し、騒音の低減及び集積紙幣の埃の飛散させることなく集積を行うことができる。即ち、利用者の事情に対応して中間開閉部５４ｂの開放や取外しを行うことができる。
【００３９】
上記したように、この実施の形態によれば、排出部３ａ，３ｂを全面的に覆うカバー５１を備えるため、稼動時における騒音を低減できるとともに、集積紙幣の埃が周辺部に飛散することを防止することができる。
【００４０】
また、集積紙幣の一側面部側を覆うカバー５１の部分５４には、開閉自在な両端開閉部５４ａ、５４ｃ及び中間開閉部５４ｂを配設し、必要に応じて中間開閉部５４ｂを開放させるため、排出部３ａ、３ｂから集積紙幣を取り出す場合には、中間開閉部５４ｂが開放された部分に手を挿入して集積紙幣を取り出すことができる。従って、カバー５１全体を開放することなく、集積紙幣の取出しが可能となる。これにより使用の状況に対応して集積紙幣の取出しを行うことができる。
【００４１】
また、中間開閉部５４ｂを着脱自在とするため、必要に応じてカバー５１から取りはずすことができ、邪魔になることもない。
【００４２】
なお、本発明は、上記一実施の形態に限られることなく、その要旨の範囲内で種々変形実施可能なことは勿論である。
【図面の簡単な説明】
【００４３】
【図１】本発明の一実施の形態である紙葉類処理装置を示す外観斜視図。
【図２】同実施形態の紙葉類処理装置の内部構成を示す図。
【図３】同実施形態のカバーを示す斜視図。
【図４】同実施形態の中間開閉部を示す斜視図。
【符号の説明】
【００４４】
２…取込部、３ａ，３ｂ…排出部（集積部）、Ｐ…紙幣（紙葉類）、１１…第１の搬送経路（搬送手段）、１２…鑑別部（識別手段）、１４…第２の搬送経路（搬送手段）、５１…カバー、５４ａ，５４ｃ…両端開閉部、５４ｂ…中間開閉部、５５…取付用の切欠部、５６…被取付部、５６ａ…スリット。
【図１】
2006120007.tif 000003
【図２】
2006120007.tif 000004
【図３】
2006120007.tif 000005
【図４】
2006120007.tif 000006